(57)【要約】【課題】本発明は、作業効率の向上に伴い、工期短縮を図ることの可能な構造物の制震構造、及び制震装置の取り付け方法を提供する。【解決手段】柱１とプレキャストコンクリート造の梁２よりなる構造物３において、ラーメン架構の構面内には、間柱４が構築されている。間柱４は、柱下部５と柱上部６とこれらを連結する制震装置７とにより構成される。柱上部６及び柱下部５は、工場等であらかじめ製作されたプレキャストコンクリート造よりなり、梁２を挟んで上下方向に向かい合うように配されており、これら３者を貫通する複数のアンカーボルト８を介して梁２の下端面及び上端面に固着されている。これらは、柱上部６の下端面と柱下部５の上端面に、前記制震装置７が固定手段９を介して固定されることにより、制震装置７を介して連結され、制震機能を備えた間柱４が構築され、前記構造物３に制震構造が備えられる。【選択図】  図１
2004218288.tif 000002
【特許請求の範囲】
【請求項１】
柱及びプレキャストコンクリート造の梁よりなるラーメン架構の構面内に、制震装置が備えられる構造物の制震構造であって、
前記構面内には、制震機能を備える間柱が配置されており、
該間柱が、前記梁の下面に取り付けられるプレキャストコンクリート造の柱上部と、
該柱上部に対して鉛直方向で同軸上に配され、前記梁の上面に取り付けられるプレキャストコンクリート造の柱下部と、
該柱下部の上端面と柱上部の下端面とを連結するように配される制震装置により構成され、
前記柱上部及び柱下部の各々は、前記梁を挟んだ状態で３者を鉛直状に貫通する複数のアンカーボルトを介して、同時に前記梁に固着されることを特徴とする構造物の制震構造。
【請求項２】
請求項１に記載の構造物の制震構造であって、
前記間柱の柱上部が、鉛直上方に突出して延在し、前記梁の梁成と前記柱下部の高さとを足し合わせた突出長さを有する複数の鉄筋を備えるプレキャストコンクリート造に成形され、
前記間柱の柱下部が、該柱上部の上端面を前記梁の下面に面どうしで当接させるとともに、複数の前記鉄筋を梁に貫通させることにより、前記梁の上面に形成される前記鉄筋の突出部、及び該鉄筋の突出部を埋設する現場打ちコンクリートによりなる鉄筋コンクリート造に成形されることを特徴とする構造物の制震構造。
【請求項３】
請求項１に記載の構造物の制震構造であって、
前記間柱の柱上部が、前記梁を鉛直方向に貫通し、上下端部を梁より突出するように配される複数の鉄筋の下端部と、複数の該鉄筋の下端部を埋設するコンクリートにより構成され、梁と一体化されたプレキャストコンクリート造のユニットに成形されるとともに、
前記間柱の柱下部が、該ユニットの上面より突出する複数の前記鉄筋の上端部、及び該鉄筋の上端部を埋設する現場打ちコンクリートによりなる鉄筋コンクリート造に成形されることを特徴とする構造物の制震構造。
【請求項４】
請求項１に記載の構造物の制震構造であって、
前記ラーメン架構の構面内に、制震機能を備える間柱に代わり、制震壁が備えられており、
鉛直面を備える平板状の軟鋼板材、及び該軟鋼板材を外周縁を取り囲むように設置され、剛性の高い部材よりなる枠組み材よりなる制震装置と、
フランジの上面に複数のスタッドジベルが備えられたＴ形鋼よりなり、前記梁の上端面及び下端面の各々に固着されるとともに、前記制震装置と連結する対をなす取り合い部材により構成され、
該取り合い部材が、ウェブを梁の上端面に配されるコンクリート床スラブ及び梁の下端面の各々から長さ方向に平行でかつ直交して突出するように、梁の上端面に配されるコンクリート床スラブ及び梁の下端面の各々とフランジの上面が当接するように配されて、
前記フランジのスタッドジベルを前記梁の上端面に配されるコンクリート床スラブ及び梁の下端面の各々に埋設されるとともに、前記梁に埋設されるアンカーボルトを介して前記梁に固着され、
該取り合い部材のウェブと、該制震壁の枠組み材を構成する上部材及び下部材の各々が、固定手段を介して固定されることを特徴とする構造物の制震構造。
【請求項５】
請求項３に記載の構造物の制震構造であって、
前記ラーメン架構の構面内に、前記制震壁に代わり、ブレースダンパーが備えられており、
該ブレースダンパーが、前記取り合い部材と、上下に位置する梁を連結するように斜方に配される制震部材とにより構成されることを特徴とする構造物の制震構造。
【請求項６】
柱及びプレキャストコンクリート造の梁よりなるラーメン架構を備える構造物の、構面内に備えられる制震装置の取り付け方法であって、
プレキャストコンクリート造の柱上部、柱下部、及び梁をあらかじめ製作しておく第１の工程と、
前記梁の上面の所定位置に柱下部を配置するとともに、梁の下面で前記柱下部と鉛直方向で同軸状となる位置に柱上部を配置し、
前記柱上部、梁、及び柱下部の３者を鉛直方向に貫通するように複数のアンカーボルトを配置し、該アンカーボルトを介して前記梁に柱上部及び柱下部を固着する第２の工程と、
前記梁の上面にコンクリート床スラブを施工するとともに、前記柱上部及び柱下部を連結するように制震装置を設置する第３の工程とにより構築されることを特徴とする制震装置の取り付け方法。
【請求項７】
柱及びプレキャストコンクリート造の梁よりなるラーメン架構を備える構造物の、構面内に備えられる制震装置の取り付け方法であって、
鉛直上方に突出して延在し、前記梁の梁成と前記柱下部の高さとを足し合わせた突出長さを有する複数の鉄筋を備えるプレキャストコンクリート造の柱上部をあらかじめ製作しておく第１の工程と、
該柱上部が下面に配置され、上面には複数の前記鉄筋の上端部が突出するように、梁を前記柱上部と一体となるようにプレキャストコンクリート造に構築する第２の工程と、
前記梁の上面にコンクリート床スラブを構築するとともに、前記鉄筋の突出部を埋設するようにコンクリートを打設し、前記梁の上面に柱下部を構築した後、
前記柱上部及び柱下部を連結するように制震装置を設置する第３の工程とにより構築されることを特徴とする制震装置の取り付け方法。
【請求項８】
柱及びプレキャストコンクリート造の梁よりなるラーメン架構を備える構造物の、構面内に備えられる制震装置の取り付け方法であって、
鉛直状に配され上下端部が上下面より突出するように配される複数の鉄筋を備える梁と、該梁の下面で、前記鉄筋の下端部を内包する柱上部とを一体化した、プレキャストコンクリート造にユニットを構築する第１の工程と、
前記ユニットの上面にコンクリート床スラブを構築するとともに、前記鉄筋の上端部を埋設するようにコンクリートを打設し、前記ユニットの上面に柱下部を構築した後、
前記柱上部及び柱下部を連結するように制震装置を設置する第３の工程とにより構築されることを特徴とする制震装置の取り付け方法。
【発明の詳細な説明】
【０００１】
【発明の属する技術分野】
本発明は、プレキャストコンクリート造の構造物に適用される構造物の制震構造、及び制震装置の取り付け方法に関する。
【０００２】
【従来の技術】
従来より、コンクリート造の柱と梁を備えるラーメン架構の構造物は、作業効率の向上、及び品質の安定を図ることを目的に、現場における型枠工事、配筋工事及びコンクリート打設工事等を不要とすることのできる特許文献１に示すようなプレキャストコンクリート造の梁を採用することが一般に知られている。
【０００３】
【特許文献１】
特開２０００−２２０２１０号公報
【０００４】
【発明が解決しようとする課題】
しかし、このようなプレキャストコンクリート造の構造物において、制震装置を備えた間柱を採用する場合には、間柱の構築を現場打ちコンクリートにより製作しているため、構造物をプレキャストコンクリート造とすることにより得られる施工上のメリットを十分に生かすことができない。
【０００５】
上記事情に鑑み、本発明は、作業効率の向上に伴い、工期短縮を図ることの可能な構造物の制震構造、及び制震装置の取り付け方法を提供することを目的としている。
【０００６】
【課題を解決するための手段】
請求項１記載の構造物の制震構造は、柱及びプレキャストコンクリート造の梁よりなるラーメン架構の構面内に、制震装置が備えられる構造物の制震構造であって、前記構面内には、制震機能を備える間柱が配置されており、該間柱が、前記梁の下面に取り付けられるプレキャストコンクリート造の柱上部と、該柱上部に対して鉛直方向で同軸上に配され、前記梁の上面に取り付けられるプレキャストコンクリート造の柱下部と、該柱下部の上端面と柱上部の下端面とを連結するように配される制震装置により構成され、前記柱上部及び柱下部の各々は、前記梁を挟んだ状態で３者を鉛直状に貫通する複数のアンカーボルトを介して、同時に前記梁に固着されることを特徴としている。
【０００７】
請求項２記載の構造物の制震構造は、前記間柱の柱上部が、鉛直上方に突出して延在し、前記梁の梁成と前記柱下部の高さとを足し合わせた突出長さを有する複数の鉄筋を備えるプレキャストコンクリート造に成形され、前記間柱の柱下部が、該柱上部の上端面を前記梁の下面に面どうしで当接させるとともに、複数の前記鉄筋を梁に貫通させることにより、前記梁の上面に形成される前記鉄筋の突出部、及び該鉄筋の突出部を埋設する現場打ちコンクリートによりなる鉄筋コンクリート造に成形されることを特徴としている。
【０００８】
請求項３記載の構造物の制震構造は、前記間柱の柱上部が、前記梁を鉛直方向に貫通し、上下端部を梁より突出するように配される複数の鉄筋の下端部と、複数の該鉄筋の下端部を埋設するコンクリートにより構成され、梁と一体化されたプレキャストコンクリート造に成形されるとともに、前記間柱の柱下部が、前記梁の上より突出する複数の前記鉄筋の上端部、及び該鉄筋の上端部を埋設する場所打ちコンクリートによりなる鉄筋コンクリート造に成形されることを特徴としている。
【０００９】
請求項４記載の構造物の制震構造は、前記ラーメン架構の構面内に、制震機能を備える間柱に代わり、制震壁が備えられており、鉛直面を備える平板状の軟鋼板材、及び該軟鋼板材を外周縁を取り囲むように設置され、剛性の高い部材よりなる枠組み材よりなる制震装置と、フランジの上面に複数のスタッドジベルが備えられたＴ形鋼よりなり、前記梁の上端面及び下端面の各々に固着されるとともに、前記制震装置と連結する対をなす取り合い部材により構成され、該取り合い部材が、ウェブを梁の上端面に配されるコンクリート床スラブ及び梁の下端面の各々から長さ方向に平行でかつ直交して突出するように、梁の上端面に配されるコンクリート床スラブ及び梁の下端面の各々とフランジの上面が当接するように配されて、フランジのスタッドジベルを前記梁の上端面に配されるコンクリート床スラブ及び梁の下端面の各々に埋設されるとともに、前記梁に埋設されるアンカーボルトを介して前記梁に固着され、該取り合い部材のウェブと、該制震壁の枠組み材を構成する上部材及び下部材の各々が、固定手段を介して固定されることを特徴としている。
【００１０】
請求項５記載の構造物の制震構造は、前記ラーメン架構の構面内に、前記制震壁に代わり、ブレースダンパーが備えられており、該ブレースダンパーが、前記取り合い部材と、上下に位置する梁を連結するように斜方に配される制震部材とにより構成されることを特徴としている。
【００１１】
請求項６記載の制震装置の取り付け方法は、柱及びプレキャストコンクリート造の梁よりなるラーメン架構を備える構造物の、構面内に備えられる制震装置の取り付け方法であって、プレキャストコンクリート造の柱上部、柱下部、及び梁をあらかじめ製作しておく第１の工程と、前記梁の上面の所定位置に柱下部を配置するとともに、梁の下面で前記柱下部と鉛直方向で同軸状となる位置に柱上部を配置し、前記柱上部、梁、及び柱下部の３者を鉛直方向に貫通するように複数のアンカーボルトを配置し、該アンカーボルトを介して前記梁に柱上部及び柱下部を固着する第２の工程と、前記梁の上面にコンクリート床スラブを施工するとともに、前記柱上部及び柱下部を連結するように制震装置を設置する第３の工程とにより構築されることを特徴としている。
【００１２】
請求項７記載の制震装置の取り付け方法は、柱及びプレキャストコンクリート造の梁よりなるラーメン架構を備える構造物の、構面内に備えられる制震装置の取り付け方法であって、鉛直上方に突出して延在し、前記梁の梁成と前記柱下部の高さとを足し合わせた突出長さを有する複数の鉄筋を備えるプレキャストコンクリート造の柱上部をあらかじめ製作しておく第１の工程と、該柱上部が下面に配置され、上面には複数の前記鉄筋の上端部が突出するように、梁を前記柱上部と一体となるようにプレキャストコンクリート造に構築する第２の工程と、前記梁の上面にコンクリート床スラブを構築すると同時に、前記鉄筋の突出部を埋設するようにコンクリートを打設し、前記梁の上面に柱下部を構築した後、前記柱上部及び柱下部を連結するように制震装置を設置する第３の工程とにより構築されることを特徴としている。
【００１３】
請求項８記載の制震装置の取り付け方法は、柱及びプレキャストコンクリート造の梁よりなるラーメン架構を備える構造物の、構面内に備えられる制震装置の取り付け方法であって、下面には、所定位置に該柱上部が形成され、上面には、柱上部を鉛直に層通し上端部を突出する複数の鉄筋が備えられる梁を、プレキャストコンクリート造に構築する第１の工程と、前記梁の上面にコンクリート床スラブを構築するとともに、前記鉄筋の上端部を埋設するようにコンクリートを打設し、前記梁の上面に柱下部を構築した後、前記柱上部及び柱下部を連結するように制震装置を設置する第３の工程とにより構築されることを特徴としている。
【００１４】
【発明の実施の形態】
本発明の構造物の制震構造及び制震装置の取り付け方法を、図１から図９に示す。本発明は、柱及びプレキャストコンクリート造の梁よりなる構造物のラーメン架構の構面内に、制震装置を内包した構造を構築するにあたり、制震装置と構造物の梁との取り合い部材をプレキャストコンクリート造もしくは鉄骨造等、現場打ちコンクリート工事を不要とする構成を用いることにより、作業効率の向上に伴う工期短縮を実現するものである。
【００１５】
（第１の実施の形態）
図１に示すように、柱１とプレキャストコンクリート造の梁２よりなるラーメン架構を備える構造物３において、ラーメン架構の構面内には、間柱４が構築されている。該間柱４は、前記梁２の上面の所定位置に固着されている柱下部５と、該柱下部５と鉛直方向に同軸状で前記梁２の下面に固着されている柱上部６と、該柱上部６の下端面及び柱下部５の上端面を連結するように配される制震装置７とにより構成されている。
本実施の形態において、前記制震装置７には、鉛直面を形成する低降伏点鋼パネル７ａとこれら上下端面に配され水平面を形成する鋼板よりなる対をなす接合板７ｂとにより構成されている鋼材ダンパーを用いているが、必ずしもこれにこだわるものではなく、制震装置として機能するとともに、間柱に内装できる形状を有する制震装置であれば、何れを用いても良い。
【００１６】
また、前記柱上部６及び柱下部５は、図２（ａ）に示すように、工場等であらかじめ製作されたプレキャストコンクリート造よりなる部材で、その高さは、柱上部６と柱下部５、及び制震装置７の高さを足し合わせると、前記構造物３の階高となるように製作されている。これら柱上部６及び柱下部５は、前記梁２を挟んで上下方向に向かい合うように配されており、これら３者を貫通する複数のアンカーボルト８を介して柱上部６は梁２の下端面に、柱下部５は梁２の上端面に固着されている。
【００１７】
このように前記構造物３の構面内に固着された柱上部６及び柱下部５は、柱上部６の下端面と柱下部５の上端面に、前記制震装置７の対をなす接合板７ｂが面どうしで突き合わされて固定手段９を介して固定されることにより、制震装置７を介して連結され、制震機能を備えた間柱４が構築され、前記構造物３に制震構造が備えられることとなる。
【００１８】
上述する構成の制震機能を備えた間柱４が構面内に構築されている構造物３の、制震装置７の取り付け方法を以下に示す。
第１の工程では、図２（ａ）に示すように、工場等において、プレキャストコンクリート造の柱上部６、柱下部５、及び梁２を所望の大きさに製作しておく。なお、３者には連続して鉛直方向にアンカーボルト８を貫通できる孔６ａ、５ａ、２ａをあらかじめ設けておく。
もしくは、柱上部６及び柱下部５にのみ、上述する孔６ａ、５ａを設けておき、前記梁２には、前記孔２ａを設けようとする位置に、両端部が鉛直状に突出するようにアンカーボルト８を固着しておいても良い。このとき、前記アンカーボルト８は、両端部が梁２の上下端面から柱上部６及び柱下部５の部材高さを越える高さを突出するように、その部材長を確保しておく。
【００１９】
第２の工程では、図２（ｂ）に示すように、前記梁２の上面の所定位置に柱下部５、これと鉛直で同軸となる下面の所定位置に柱上部６を配置し、各々に設けられた鉛直方向の孔６ａ、５ａ、２ａが連続するように位置あわせを行った上で、該孔６ａ、５ａ、２ａに前記アンカーボルト８を設置することにより、前記梁２に柱上部６及び柱下部５を固着する。
なお、あらかじめ前記梁２にアンカーボルト８を固着した場合には、該アンカーボルト８の両端部各々を、柱上部６もしくは柱下部５の孔６ａ、５ａに差し込むことにより、梁２に対する柱上部６もしくは柱下部５の位置あわせを簡略に実施することができる。
【００２０】
前記第３の工程では、図２（ｃ）に示すように、前記柱上部６及び柱下部５が固着された前記梁２を用いて前記構造物３の架構を構築し、前記梁２の上面にコンクリート床スラブ１３を構築する。
この後、図１に示すように、柱上部６と柱下部５の間に制震装置７を配置し、柱上部６の下端面及び柱下部５の上端面と前記制震装置７の接合板７ｂを面どうしで向かい合わせて、固定手段９を介して固定することにより制震装置７が取り付けられ、前記構造物３の構面内に制震機能を備えた間柱４を備える構造物３の制震構造が構築されることとなる。
【００２１】
（第２の実施の形態）
以下、第２の実施の形態及び第３の実施の形態では、第１の実施の形態で示した構成と同様な構造物３の構面内に制震機能を備えた間柱４を備える構造物３の制震構造において、他の事例を示す。
【００２２】
図３に示すように、柱１とプレキャストコンクリート造の梁２よりなるラーメン架構を備える構造物３において、ラーメン架構の構面内には、第１の実施の形態と同様に、柱下部５、柱上部６、及び制震装置７を備える間柱４が構築されている。
該柱上部６は、第１の実施の形態と同様に、工場等であらかじめ製作されたプレキャストコンクリート造よりなる部材であるが、図４（ａ）に示すように、その上端面には鉛直上方に延在する鉄筋１０が複数突出している。該鉄筋１０は、下端部が柱上部６に埋設されており、前記柱上部６の上端面からの突出長さを、前記梁２の梁成と柱下部５の部材高さを足し合わせた長さを確保できる部材長に形成されている。
このような構成の柱上部６は、図３に示すように、上端面を梁２の下面に突き合わせ、複数の前記鉄筋１０が梁２を鉛直に貫通し、その上端部が該梁２の上面より突出するように一体的に接合されている。
一方、前記柱下部５は、前記梁２の上面に形成される鉄筋１０の突出部と、該鉄筋１０の突出部を埋設する現場打ちコンクリート１１よりなる鉄筋コンクリート造に構成されている。
【００２３】
このように前記構造物３の構面内に固着された柱上部６及び柱下部５は、柱上部６の下端面と柱下部５の上端面に、前記制震装置７の対をなす接合板７ｂが面どうしで突き合わされて固定手段９を介して固定されることにより、制震装置７を介して連結され、制震機能を備えた間柱４が構築され、前記構造物３に制震構造が備えられることとなる。
【００２４】
上述する構成の制震機能を備えた間柱４が構面内に構築されている構造物３の、制震装置７の取り付け方法を以下に示す。
第１の工程では、図４（ａ）に示すように、工場等において、プレキャストコンクリート造の柱上部６を所望の大きさに製作しておく。なお、柱上部６には上面より鉛直状に所定の長さだけ突出する複数の鉄筋１０を埋設しておく。
【００２５】
第２の工程では、図４（ｂ）に示すように、同じく工場等において、プレキャストコンクリート造の前記梁２を製作するが、梁２の型枠１２の底面に前記柱上部６の断面と同形状の開口部を設けておき、該開口部に柱上部６を嵌合させた上で、型枠１２にコンクリートを打設することにより、下面に柱上部６が配され、上面に柱上部６の鉄筋１０による突出部が形成された梁２を構築する。
なお、このような柱上部６と一体となった梁２の製造方法は、必ずしもこれにこだわるものではなく、柱上部６と梁２とを一体化したプレキャストコンクリート部材を製作できる方法であれば、何れを用いてもその方法にこだわるものではない。
【００２６】
第３の工程では、前記柱上部６が固着された前記梁２を用いて前記構造物３の架構を構築した後、図４（ｃ）に示すように、前記梁２の上面に形成された鉄筋１０による突出部を囲うように図示しない型枠を配置して、内方に場所打ちコンクリート１１を打設することにより、柱下部５を構築する。このとき、同時に前記梁２の上面にコンクリート床スラブ１３を構築する。
前記柱下部５を構成するコンクリート１１の硬化後に脱型した上、図３に示すように、柱上部６と柱下部５の間に制震装置７を配置し、柱上部６の下端面及び柱下部５の上端面と前記制震装置７の接合板７ｂを面どうしで向かい合わせて、固定手段９を介して固定することにより制震装置７が取り付けられ、前記構造物３の構面内に制震機能を備えた間柱４を備える構造物３の制震構造が構築されることとなる。
【００２７】
（第３の実施の形態）
図５に示すように、柱１とプレキャストコンクリート造の梁２よりなるラーメン架構を備える構造物３において、ラーメン架構の構面内には、第１の実施の形態及び第２の実施の形態と同様に、柱下部５、柱上部６、及び制震装置７を備える間柱４が構築されている。
該柱上部６は、図６（ａ）に示すように、前記梁２を鉛直方向に貫通し、上下面より両端部を突出するように配される複数の鉄筋１０の下端部と、複数の該鉄筋１０の下端部を埋設するコンクリートにより構成されており、該梁２と一体的に構築されたプレキャストコンクリート造のユニット１４を構成している。
一方、前記柱下部５は、該ユニット１４の上面に突出する鉄筋１０の上端部と、該鉄筋１０の上端部を埋設する場所打ちコンクリート１１よりなる鉄筋コンクリート造に構成されている。
なお、前記鉄筋１０は、中間部が梁２に埋設されており、該梁２の上面からの突出長さには前記柱下部５の部材高さ、該梁２の下面からの突出長さには柱上部６の部材高さを確保できる部材長に形成されている。
【００２８】
このように前記構造物３の構面内に固着された柱上部６及び柱下部５は、柱上部６の下端面と柱下部５の上端面に、前記制震装置７の対をなす接合板７ｂが面どうしで突き合わされて固定手段９を介して固定されることにより、制震装置７を介して連結され、制震機能を備えた間柱４が構築され、前記構造物３に制震構造が備えられることとなる。
【００２９】
上述する構成の制震機能を備えた間柱４が構面内に構築されている構造物３の、制震装置７の取り付け方法を以下に示す。
第１の工程では、図６（ａ）に示すように、工場等において、プレキャストコンクリート造の柱上部６と梁２より構成されるユニット１４を所望の大きさに製作しておく。なお、該ユニット１４は、あらかじめ柱上部６及び梁２を形成できる型枠１２を作成しておき、該型枠１２の柱上部６の形成部及び梁２の形成部に、両者を層通するとともに、梁２の上面より鉛直状に所定の長さだけ上端部が突出するように複数の鉄筋１０を配置しておき、該鉄筋１０を埋設するようコンクリートを打設することにより、鉄筋１０の下端部を内包する柱上部６と、上面に鉄筋１０の上端部が突出する梁２よりなるユニット１４を構築する。
なお、このようなユニット１４の製造方法は、必ずしもこれにこだわるものではなく、柱上部６と梁２とを一体化したユニット１４を製作できる方法であれば、何れを用いてもその方法にこだわるものではない。
【００３０】
第２の工程では、前記ユニット１４を用いて前記構造物３の架構を構築した後、図６（ｂ）に示すように、前記ユニット１４の上面に突出する鉄筋１０の上端部を囲うように図示しない型枠を配置して、内方に場所打ちコンクリート１１を打設することにより、柱下部５を構築する。このとき、同時に前記ユニット１４の上面にコンクリート床スラブ１３を構築する。
【００３１】
第３の工程では、前記柱下部５を構成するコンクリート１１の硬化後に脱型した上、図５に示すように、ユニット１４を構成する柱上部６と柱下部５の間に制震装置７を配置し、柱上部６の下端面及び柱下部５の上端面と前記制震装置７の接合板７ｂを面どうしで向かい合わせて、固定手段９を介して固定することにより制震装置７が取り付けられ、前記構造物３の構面内に制震機能を備えた間柱４を備える構造物３の制震構造が構築されることとなる。
【００３２】
上述する第１から第３の実施の形態によれば、構造物３の制震構造を、前記構造物３の構面内に制震機能を備えた間柱４を備える構成とし、第１の実施の形態では、制震装置７と構造物３の梁２との取り合い部となる前記間柱４の柱上部６及び柱下部５の両者をプレキャストコンクリート造に製作したことから、現場打ちコンクリート工事に係る作業工程を不要とすることができ、作業効率の向上に伴う工期短縮を実施することが可能となる。
また、第２の及び第３の実施の形態に示すように、柱上部６のみをプレキャストコンクリート造とした場合にも、柱下部５は、コンクリート床スラブ１３の構築とともに、現場打ちコンクリート工事に係る作業工程を実施すればよいため、作業効率の向上に伴う工期短縮を実施することが可能となる。
さらに、高層構造物に適用する際には、前記梁２、柱下部５、柱上部６の製造
用いる図示しない型枠と同様に、ユニット１４の製造の際に用いる型枠１２を、繰り返し使用することができるため、大幅なコスト削減に寄与することが可能となる。
【００３３】
（第４の実施の形態）
第１から第３の実施の形態では、前記構造物３の構面内に制震機能を備えた間柱４を備える構造物３の制震構造を示したが、第４の実施の形態では、前記構造物３の構面内に制震壁１５を備える構造物３の制震構造を示す。
【００３４】
図７（ａ）に示すように、柱１とプレキャストコンクリート造の梁２よりなるラーメン架構を備える構造物３において、ラーメン架構の構面内には、制震壁１５が構築されている。該制震壁１５は、前記梁２の上面の所定位置に配置されている第１の取り合い部材１６と、該第１の取り合い部材１６と鉛直方向に同軸状で前記梁２の下面に配置されている第２の取り合い部材１７と、該第１の取り合い部材１６及び第２の取り合い部材１７を連結するように配される制震装置７とにより構成されている。
本実施の形態において、前記制震装置７には、鉛直面を形成する低降伏点鋼パネル７ａと、これらの外周縁を取り囲むように設置される鋼材等よりなる枠組み材７ｃとにより構成されているが、必ずしもこれにこだわるものではなく、制震装置７として機能するとともに、制震壁１５に内装できる形状を有する制震装置であれば、何れを用いても良い。
【００３５】
また、図７（ｂ）に示すように、前記第１の取り合い部材１６及び第２の取り合い部材１７は、フランジ１６ａ、１７ａの上面に複数のスタッドジベル１６ｂ、１７ｂが固着されたＴ形鋼により構成されている。これら第１の取り合い部材１６及び第２の取り合い部材１７は、前記梁２を挟んで上下方向にフランジ１６ａ、１７ａを向かい合うように配されており、第２の取り合い部材１７は、スタッドジベル１７ｂを梁２の下面に埋設した状態で、また第１の取り合い部材１６は、スタッドジベル１６ｂを梁２の上面に配されたコンクリート床スラブ１３に埋設した状態で、これら３者を貫通する複数のアンカーボルト８を介して第１の取り合い部材１６及び第２の取り合い部材１７は梁２に固着されている。
【００３６】
このように前記構造物３の構面内に固着された第１の取り合い部材１６及び第２の取り合い部材１７の、梁２より直交するとともに、梁２の長さ方向に延在するウェブ１６ｃ、１７ｃに、前記制震装置７を構成する枠組み材７ｃの上下端部各々が、固定手段９を介して固定されることにより制震壁１５が構築され、前記構造物３に制震構造が備えられることとなる。
【００３７】
なお、前記第１の取り合い部材１６及び第２の取り合い部材１７を梁２に固着さるアンカーボルト８の配置構造は、必ずしも上述するものにこだわるものではない。
例えば、図７（ｃ）に示すように、第１の取り合い部材１６は、あらかじめ前記梁２の上面より上端部が突出するように、梁２にアンカーボルト８ａを埋め込んでおき、該アンカーボルト８ａの上端部を、第１の取り合い部材１６のフランジ１６ａに設けた図示しない孔に貫通させた上で、ナット２０により締結する。第２の取り合い部材１７は、フランジ１７ａの上面に前記梁２の梁成より略短いアンカーボルト８ｂを固着しておき、前記スタッドジベル１７ｂと同様に梁２の下面より埋設する。このとき、第１の取り合い部材１６のアンカーボルト８ａと、第２の取り合い部材１７のアンカーボルト８ｂは、前記梁２の内方で差し違え配列を形成するように配置する。
【００３８】
また、図８（ａ）に示すように、第２の取り合い部材１７には、フランジ１７ａの上面に前記梁２の梁成及びコンクリート床スラブ１３の部材厚を足し合わせた長さより長い部材長のアンカーボルト８ｂを固着しておき、前記スタッドジベル１７ｂと同様に梁２の下面より埋設する。これにより、前記アンカーボルト８ｂの先端部がコンクリート床スラブ１３より突出することから、第１の取り合い部材１６を、スタッドジベル１６ｂが梁２の上面に配されたコンクリート床スラブ１３に埋設された状態で、フランジ１６ａに設けた図示しない孔に、前記アンカーボルト８ｂの先端部を貫通させた上で、ナット２０により締結する。
【００３９】
さらに、図８（ｂ）に示すように、第２の取り合い部材１７には、フランジ１７ａの上面に前記梁２の梁成と同様の長さのアンカーボルト８ｂを固着しておき、前記スタッドジベル１７ｂと同様に梁２の下面より埋設する。なお、アンカーボルト８ｂの先端部には、カプラー８ｃを取り付けておく。一方、第１の取り合い部材１６には、前記第２の取り合い部材１７のアンカーボルト８ｂと対応する位置にコンクリート床スラブ１３の部材厚より略長いアンカーボルト８ａをフランジ１６ａの上面に取り付けておき、梁２の上面に配されたコンクリート床スラブ１３にこれらを埋設して、アンカーボルト８ａの端部をアンカーボルト８ｂのカプラー８ｃに嵌合する。
【００４０】
（第５の実施の形態）
第４の実施の形態では、前記構造物３の構面内に制震壁１５を備える構造物３の制震構造を示したが、第５の実施の形態では、前記構造物３の構面内にブレースダンパー１８を備える構造物３の制震構造を示す。
【００４１】
図９に示すように、柱１とプレキャストコンクリート造の梁２よりなるラーメン架構を備える構造物３において、ラーメン架構の構面内には、ブレースダンパー１８が構築されている。該ブレースダンパー１８は、前記梁２の上面の所定位置に配置されている第１の取り合い部材１６、及び前記梁２の下面に配置されている第２の取り合い部材１７と、該第１の取り合い部材１６及び第２の取り合い部材１７を連結するように配される制震部材１９とにより構成されている。
前記第１の取り合い部材１６及び第２の取り合い部材１７は、第４の実施の形態で示したものと同様で、フランジ１６ａ、１７ａの上面にスタッドジベル１６ｂ、１７ｂが固着されており、該スタッドジベル１６ｂ、１７ｂを梁２の上面に配置されているコンクリート床スラブ１３及び梁２の下面に埋設するようにして、各々が前記梁２に固着されている。なお、本実施の形態では、これら前記フランジ１６ａ、１７ａの上面に、スタッドジベル１６ｂ、１７ｂのみでなく、前記梁２の梁成よりも略短いアンカーボルト８が固着されており、該アンカーボルト８もスタッドジベル１６ｂ、１７ｂと同様に、梁２の上面に配置されているコンクリート床スラブ１３及び梁２の下面に埋設されることにより、第１の取り合い部材１６及び第２の取り合い部材１７は、梁２に強固に固着されるものである。
【００４２】
一方、前記制震部材１９には、極低降伏点鋼製の斜材を用いており、ハの字型を形成するように対をなして配置されているが、必ずしもこれにこだわるものではなく、鉄筋コンクリートにより、該斜材の周囲をアンボンド状に覆われたいわゆるアンボンドブレースを用いる等、前記構造物３の構面内に配置できる形状を有する制震部材１９であれば、何れを用いても良い。
【００４３】
このように、ハの字型を形成する対をなす前記制震部材１９は、両者の上端部が、梁２の下面で長さ方向の中央部近傍に配された１体の第２の取り合い部材１７のウェブ１７ｃに固定手段９を介して固定されるとともに、下端部が、梁２の上面に配されたコンクリート床スラブ１３上で、構面の隅角部近傍の各々に位置する２体の第１の取り合い部材１６各々のウェブ１６ｃに、固定手段９を介して固定されることによりブレースダンパー１８が構築され、前記構造物３に制震構造が備えられることとなる。
【００４４】
上述する第４及び第５の実施の形態によれば、構造物３の制震構造を、前記構造物３の構面内に制震壁１５もしくはブレースダンパー１８を備える構成にするとともに、制震装置７と構造物３の梁２との取り合い部となる第１の取り合い部材１６及び第２の取り合い部材１７をＴ形鋼よりなる鉄骨造とし、前記梁２に対してアンカーボルト８を介して固着する構成としたことから、現場打ちコンクリート工事に係る作業工程を不要とすることができ、作業効率の向上に伴う工期短縮を実施することが可能となる。
また、構造物３の構面内に制震装置７を配置することにより、構造物３の制震性能を向上させつつ、柱１及び梁２のスリム化を図ることが可能となり、室内の有効スペースを拡張することができるとともに、コンクリートや鉄筋等の数量を大幅に削減でき、工費削減に大きく寄与することが可能となる。
さらに、個々の構造部材の重量を低減できるため、作業性の向上を図ることが可能となるだけでなく、基礎構造への負担を大幅に低減することが可能となる。
【００４５】
【発明の効果】
請求項１記載の構造物の制震構造によれば、柱及びプレキャストコンクリート造の梁よりなるラーメン架構の構面内に、制震装置が備えられる構造物の制震構造であって、前記構面内には、制震機能を備える間柱が配置されており、該間柱が、前記梁の下面に取り付けられるプレキャストコンクリート造の柱上部と、該柱上部に対して鉛直方向で同軸上に配され、前記梁の上面に取り付けられるプレキャストコンクリート造の柱下部と、該柱下部の上端面と柱上部の下端面とを連結するように配される制震装置により構成され、前記柱上部及び柱下部の各々は、前記梁を挟んだ状態で３者を鉛直状に貫通する複数のアンカーボルトを介して、同時に前記梁に固着される。
【００４６】
また、請求項６記載の制震装置の取り付け方法によれば、柱及びプレキャストコンクリート造の梁よりなるラーメン架構を備える構造物の、構面内に備えられる制震装置の取り付け方法であって、プレキャストコンクリート造の柱上部、柱下部、及び梁をあらかじめ製作しておく第１の工程と、前記梁の上面の所定位置に柱下部を配置するとともに、梁の下面で前記柱下部と鉛直方向で同軸状となる位置に柱上部を配置し、前記柱上部、梁、及び柱下部の３者を鉛直方向に貫通するように複数のアンカーボルトを配置し、該アンカーボルトを介して前記梁に柱上部及び柱下部を固着する第２の工程と、前記梁の上面にコンクリート床スラブを施工するとともに、前記柱上部及び柱下部を連結するように制震装置を設置する第３の工程とにより構築される
【００４７】
これにより、制震装置と構造物の梁との取り合い部に係る現場打ちコンクリート工事による作業工程を不要とすることができ、作業効率の向上に伴う工期短縮を実施することが可能となる。
【００４８】
請求項２及び３記載の構造物の制震構造によれば、前記間柱の柱上部が、鉛直上方に突出して延在し、前記梁の梁成と前記柱下部の高さとを足し合わせた突出長さを有する複数の鉄筋を備えるプレキャストコンクリート造に成形され、前記間柱の柱下部が、該柱上部の上端面を前記梁の下面に面どうしで当接させるとともに、複数の前記鉄筋を梁に貫通させることにより、前記梁の上面に形成される前記鉄筋の突出部、及び該鉄筋の突出部を埋設する場所打ちコンクリートによりなる鉄筋コンクリート造に成形される。
もしくは、前記間柱の柱上部が、前記梁を鉛直方向に貫通し、上下端部を梁より突出するように配される複数の鉄筋の下端部と、複数の該鉄筋の下端部を埋設するコンクリートにより構成され、梁と一体化されたプレキャストコンクリート造に成形されるとともに、前記間柱の柱下部が、前記梁の上より突出する複数の前記鉄筋の上端部、及び該鉄筋の上端部を埋設する場所打ちコンクリートによりなる鉄筋コンクリート造に成形される。
【００４９】
また、請求項７及び８記載の制震装置の取り付け方法によれば、柱及びプレキャストコンクリート造の梁よりなるラーメン架構を備える構造物の、構面内に備えられる制震装置の取り付け方法であって、鉛直上方に突出して延在し、前記梁の梁成と前記柱下部の高さとを足し合わせた突出長さを有する複数の鉄筋を備えるプレキャストコンクリート造の柱上部をあらかじめ製作しておく第１の工程と、該柱上部が下面に配置され、上面には複数の前記鉄筋の上端部が突出するように、梁を前記柱上部と一体となるようにプレキャストコンクリート造に構築する第２の工程と、前記梁の上面にコンクリート床スラブを構築すると同時に、前記鉄筋の突出部を埋設するように場所打ちコンクリートを打設し、前記梁の上面に柱下部を構築した後、前記柱上部及び柱下部を連結するように制震装置を設置する第３の工程とにより構築される。
【００５０】
もしくは、柱及びプレキャストコンクリート造の梁よりなるラーメン架構を備える構造物の、構面内に備えられる制震装置の取り付け方法であって、下面には、所定位置に該柱上部が形成され、上面には、柱上部を鉛直に層通し上端部を突出する複数の鉄筋が備えられる梁を、プレキャストコンクリート造に構築する第１の工程と、前記梁の上面にコンクリート床スラブを構築するとともに、前記鉄筋の上端部を埋設するように場所打ちコンクリートを打設し、前記梁の上面に柱下部を構築した後、前記柱上部及び柱下部を連結するように制震装置を設置する第３の工程とにより構築される。
【００５１】
これにより、柱上部のみをプレキャストコンクリート造とした場合にも、柱下部は、コンクリート床スラブの構築とともに、現場打ちコンクリート工事に係る作業工程を実施すればよいため、作業効率の向上に伴う工期短縮を実施することが可能となる。
【００５２】
請求項４及び５に記載の構造物の制震構造によれば、前記ラーメン架構の構面内に、制震機能を備える間柱に代わり、制震壁が備えられており、鉛直面を備える平板状の軟鋼板材、及び該軟鋼板材を外周縁を取り囲むように設置され、剛性の高い部材よりなる枠組み材よりなる制震装置と、フランジの上面に複数のスタッドジベルが備えられたＴ形鋼よりなり、前記梁の上端面及び下端面の各々に固着されるとともに、前記制震装置と連結する対をなす取り合い部材により構成され、該取り合い部材が、ウェブを梁の上端面に配されるコンクリート床スラブ及び梁の下端面の各々から長さ方向に平行でかつ直交して突出するように、梁の上端面に配されるコンクリート床スラブ及び梁の下端面の各々とフランジの上面が当接するように配され、フランジのスタッドジベルを前記梁の上端面に配されるコンクリート床スラブ及び梁の下端面の各々に埋設されるとともに、前記梁に埋設されたアンカーボルトを介して前記梁に固着され、該取り合い部材のウェブと、該制震壁の枠組み材を構成する上部材及び下部材の各々が、固定手段を介して固定される。
【００５３】
または、前記ラーメン架構の構面内に、前記制震壁に代わり、ブレースダンパーが備えられており、該ブレースダンパーが、対をなす前記取り合い部材と、上下に位置する梁を連結するように斜方に配される制震部材とにより構成されることを特徴としている。
【００５４】
これにより、制震装置と構造物の梁との取り合い部材をＴ形鋼よりなる鉄骨造とし、梁に対してアンカーボルトを介して固着する構成としたことから、現場打ちコンクリート工事に係る作業工程を不要とすることができ、作業効率の向上に伴う工期短縮を実施することが可能となる。
【００５５】
また、構造物の制震性能を向上させつつ、柱及び梁のスリム化を図ることが可能となり、室内の有効スペースを拡張することができるとともに、コンクリートや鉄筋等の数量を大幅に削減でき、工費削減に大きく寄与することが可能となる。
【００５６】
さらに、個々の構造部材の重量を低減できるため、作業性の向上を図ることが可能となるだけでなく、基礎構造への負担を大幅に低減することが可能となる。
【図面の簡単な説明】
【図１】本発明に係る構造物の構面内に、制震機能を有する間柱を備えた第１の実施の形態の構造物の制震構造を示す図である。
【図２】本発明に係る第１の実施の形態の制震装置の取り付け方法を示す図である。
【図３】本発明に係る構造物の構面内に、制震機能を有する間柱を備えた第２の実施の形態の構造物の制震構造を示す図である。
【図４】本発明に係る第２の実施の形態の制震装置の取り付け方法を示す図である。
【図５】本発明に係る構造物の構面内に、制震機能を有する間柱を備えた第３の実施の形態の構造物の制震構造を示す図である。
【図６】本発明に係る第３の実施の形態の制震装置の取り付け方法を示す図である。
【図７】本発明に係る構造物の構面内に、制震壁を備えた構造物の制震構造を示す図である。
【図８】本発明に係る構造物の構面内に、制震壁を備えた構造物の制震構造の他の事例を示す図である。
【図９】本発明に係る構造物の構面内に、ブレースダンパーを備えた構造物の制震構造を示す図である。
【符号の説明】
１  柱
２  梁
３  構造物
４  間柱
５  柱下部
６  柱上部
７  制震装置
７ａ  低降伏点鋼パネル
７ｂ  接合板
７ｃ  枠組み材
８  アンカーボルト
８ａ  アンカーボルト
８ｂ  アンカーボルト
８ｃ  カプラー
９  固定手段
１０  鉄筋
１１  コンクリート
１２  型枠
１３  コンクリート床スラブ
１４  ユニット
１５  制震壁
１６  第１の取り合い部材
１６ａ  フランジ
１６ｂ  スタッドジベル
１６ｃ  ウェブ
１７  第２の取り合い部材
１７ａ  フランジ
１７ｂ  スタッドジベル
１７ｃ  ウェブ
１８  ブレースダンパー
１９  制震部材
２０  ナット
【図１】
2004218288.tif 000003
【図２】
2004218288.tif 000004
【図３】
2004218288.tif 000005
【図４】
2004218288.tif 000006
【図５】
2004218288.tif 000007
【図６】
2004218288.tif 000008
【図７】
2004218288.tif 000009
【図８】
2004218288.tif 000010
【図９】
2004218288.tif 000011